(57)【要約】      （修正有）【課題】ＬＥＤランプの発生熱を、当該ランプを収納する制御装置の筺体を介して放散できるようにしたＤＩＮレール取付型ＬＥＤランプと提供する。【解決手段】チップ型ＬＥＤ２をＬＥＤ取付板３に半田付けし、ＬＥＤ取付板をアルミ押出成形で形成されたアルミ製放熱板４にネジ止め密着させる。そのアルミ製放熱板がＤＩＮレール対応アルミケース５に密着するよう内側両側面に設けたスライド溝２本のかん合により密着させ、ＤＩＮレール対応アルミケースの長手方向両側面に設けた固着部品でＤＩＮレール６に固着させる。ＤＩＮレールを金属製筺体に装着することによりＬＥＤの発する熱を、ＤＩＮレール経由にて金属製筺体に伝導させて放熱させることができる。【選択図】図１
0003152103.tif 000002
【実用新案登録請求の範囲】
【請求項１】
ＤＩＮレールに直接取り付けることが出来る形状を特徴とするＬＥＤランプ。
【請求項２】
ＤＩＮレールに直接取り付けることが出来る形状のＬＥＤランプケースをアルミの押し出し成型で形成してＤＩＮレール対応アルミケースとして、その内部のＬＥＤ取付板に接着するアルミ放熱材も押し出し成型でヒートシンクの形状に形成し、ＤＩＮレール対応アルミケースとアルミ放熱材が密着するように固定すると  ＬＥＤの発散熱の放熱を兼ねるＤＩＮレール対応アルミケースであることを特徴とする請求項１記載のＬＥＤランプ。
【請求項３】
ＤＩＮレールに直接取り付けることが出来る形状のＬＥＤランプのケース内部に、ＬＥＤ取付板にアルミ放熱材を接着し、そのアルミ放熱材に放熱シートが接着されていて、その放熱シートがＤＩＮレールに密着するような放熱シートの厚さにして設置するとＬＥＤの発散熱の放熱を兼ねるＤＩＮレール対応ケースであることを特徴とする請求項１記載のＬＥＤランプ。
【考案の詳細な説明】
【技術分野】
【０００１】  この発明はＬＥＤランプをＤＩＮレール６に直接パチンと嵌め込んで取付が出来るＬＥＤランプの形状に関する。
【背景技術】
【０００２】  従来のＬＥＤランプはＡＣ１００Ｖの白熱球との互換性を優先しているため、口金９がＥ２６と言われるＡＣ１００Ｖソケット用のものであった。このＬＥＤランプを制御盤等に取り付けようとすると、先ず制御盤等にＡＣ１００Ｖ用のソケットをねじ止めして  そのＡＣ１００ＶソケットにＬＥＤランプをねじ込む必要があった。
【考案の開示】
【考案が解決しようとする課題】
【０００３】  しかしながら、制御盤等に取り付けてあるＤＩＮレール６を利用して、そのＤＩＮレール６にＬＥＤランプをパチンと嵌め込むだけで  簡単にＬＥＤランプの制御盤等への取り付けが出来ることを課題とする。
【課題を解決するための手段】
【０００４】  以上の課題を解決するために、第一考案は、ＤＩＮレール６にＬＥＤランプを直接パチンと嵌め込んで取り付けが出来るＬＥＤランプケースとするために、ＬＥＤランプケース部分をＤＩＮレール６に対応するＤＩＮレール対応アルミケース５の形状とする。このＤＩＮレール対応アルミケース５の内部に  ＬＥＤ放熱板４をアルミの押し出し成型でヒートシンクの形状に形成して、ＤＩＮレール対応アルミケース５に密着するように固定するとＬＥＤランプから発する熱がＬＥＤ取付板３、ＬＥＤ放熱板４、ＤＩＮレール対応アルミケース５、ＤＩＮレール６、制御盤等に順に熱伝導して放熱される形状を特徴とするＬＥＤランプである。
また、第二考案は、このＤＩＮレール６に対応するＤＩＮレール対応ケース８の内部に、ＬＥＤ取付板３にアルミの放熱材４を接着し、そのアルミの放熱材４に放熱シート７を接着して、その放熱シートがＤＩＮレール６に密着するような放熱シート７の厚さにする。こうしてＬＥＤランプの発する熱量がＬＥＤ取付板３、アルミ放熱材４、放熱シート７、ＤＩＮレール６、制御盤等に順に熱伝導して放熱される形状を特徴とするＬＥＤランプである。
【考案の効果】
【０００５】  制御盤等に従来のＬＥＤランプをとりつけようとすると、従来のＬＥＤランプはＡＣ１００Ｖの白熱球との互換性を優先していた為口金９がＥ２６と言われるＡＣ１００Ｖソケット用のものであり、先ず制御盤等にＡＣ１００Ｖ用のソケットをねじ止めして  そのＡＣ１００ＶソケットにＬＥＤランプをねじ込む必要があった。
第一考案または第二考案によれば、制御盤等にＬＥＤランプを取付ける際に、制御盤等についているＤＩＮレール６を利用して、ＬＥＤランプをＤＩＮレール６に直接パチンと嵌め込むだけで取り付け出来る。
【考案を実施するための最良の形態】
【０００６】  この考案の一実施形態を  図１に示す。
チップ型（表面実装型）ＬＥＤ２はＬＥＤランプ取付板３に取付けられており、そのＬＥＤ取付板３はアルミ放熱材４に接着されている。アルミ放熱材４はＤＩＮレール対応アルミケース５に密着するように固定されている。
【実施例】
【０００７】  制御盤等についているＤＩＮレール６を利用して、ＤＩＮレール６にＬＥＤランプを直接パチンと嵌め込むだけで制御盤等にＬＥＤランプを取り付け出来る。
【産業上の利用可能性】
【０００８】  地球温暖化が問題になっており、その原因のひとつであるＣＯ２を削減する事が重要視されている現況で  ＬＥＤランプの需要は今後益々増えていく。
しかし輝度半減期が４万時間〜５万時間と言われている白色ＬＥＤを使用したＬＥＤランプの放熱を完全にしないと  ＬＥＤから発散する熱で直ぐに輝度劣化を起こす。そこでこのＤＩＮレールに直接取り付けることが出来る形状を特徴とするＬＥＤランプを採用すれば放熱が完全になされて輝度劣化を防げる。
【図面の簡単な説明】
【０００９】
【図１】この発明の一実施形態を示すＬＥＤランプの側面断面図である。
【図２】ＤＩＮレールの上面図および側面図である。
【図３】この発明の一実施形態を示すＬＥＤランプの上面図および側面図である。
【図４】この発明の他の実施形態を示すＬＥＤランプの側面断面図である。
【図５】従来技術を示すチップ型ＬＥＤランプの側面図および上面図である。
【図６】従来技術を示す砲弾型ＬＥＤランプの側面図である。
【符号の説明】
【００１０】  １  半透明塩ビカバー
２  チップ型（表面実装型）ＬＥＤ
３  ＬＥＤ取付板
４  アルミ放熱板
５  ＤＩＮレール対応アルミケース
６  ＤＩＮレール
７  放熱シート
８  ＤＩＮレール対応ケース
９  口金Ｅ２６
１０  砲弾型ＬＥＤ
【図１】
0003152103.tif 000003
【図２】
0003152103.tif 000004
【図３】
0003152103.tif 000005
【図４】
0003152103.tif 000006
【図５】
0003152103.tif 000007
【図６】
0003152103.tif 000008
【手続補正書】
【提出日】平成20年9月19日(2008.9.19)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤランプをＤＩＮレール６に直接装着するためのケース５をアルミ製としたことを特徴とする。
【請求項２】
請求項１に記載のＬＥＤランプの構成は  チップ型ＬＥＤ２をＬＥＤ取付板３に取付け、そのＬＥＤ取付板３をアルミ放熱板４に取付ける。これらを請求項１に記載のケース５の中に装着することを特徴とする。
【手続補正２】
【補正対象書類名】明細書
【補正対象項目名】全文
【補正方法】変更
【補正の内容】
【考案の詳細な説明】
【技術分野】
【０００１】  この考案は、ＬＥＤランプの放熱方法に関する。
【背景技術】
【０００２】  従来のＬＥＤ数個を１枚のプリント基板に取付けて点灯する時は放熱の必要はなかった。しかし白色のＬＥＤが発明されてから、白色ＬＥＤを数百個または数千個を１枚のプリント基板に装着して白色ＬＥＤランプとして点灯すると、ＬＥＤによる発熱が大きくなりＬＥＤの破壊又は輝度劣化が進む問題が出た。これを防止するために放熱の必要が生じた。その放熱方法としては図４に示すようにチップ型（表面実装型）ＬＥＤ１をアルミ基台２に取付け、そのアルミ基台２にアルミの削り出し又は押し出し成型したアルミヒートシンク６を接着して熱伝導させ放熱していた。又は図５に示すように砲弾型ＬＥＤ４をプリント基板５に半田付けして、そのプリント基板５にアルミヒートシンク６を密着させて熱伝導させ放熱していた。
【考案の開示】
【考案が解決しようとする課題】
【０００３】  しかしながら、以上の技術によれば、図４の場合はチップ型（表面実装型）ＬＥＤ１をアルミ基台２に取付けたものをアルミヒートシンク６に接着させれば放熱は上手くいくが、大きく、重く、コスト高になる。
図５の場合は砲弾型ＬＥＤ４をプリント基板５に半田付けしたものをアルミヒートシンク６に密着させることは簡単ではない。
【課題を解決するための手段】
【０００４】  以上の課題を解決するために、図３では、砲弾型ＬＥＤ４をプリント基板５に半田付けし、このプリント基板５に  絶縁性と熱伝導に優れた、放熱性の良い、粘性の低い、且つ安価なモールド剤３を塗布することによりＬＥＤの放熱をすることを特徴とするＬＥＤランプである。
あるいは、ランプ形状が平形のランプ、円錐状のランプ、球状のランプ等の場合には絶縁性と熱伝導に優れた、放熱性の良い、粘性の低い、且つ安価なモールド剤３を型に流し込むことにより容易に形作ることができることを特徴とするＬＥＤの放熱をするＬＥＤランプである。
【考案の効果】
【０００５】  ＬＥＤランプがどのような形状であっても製作でき、且つ絶縁性と熱伝導に優れた、放熱性の良い、粘性の低い、安価なモールド剤３を使用してＬＥＤの放熱をするＬＥＤランプである。
【考案を実施するための最良の形態】
【０００６】  この考案の一実施形態として図１に示す。
チップ型（表面実装型）ＬＥＤ１をアルミ基台２に取り付け、アルミ基台２の周囲に同一寸法の囲いを設け、その囲いの中へ絶縁性と熱伝導に優れた、放熱性の良い、粘性の低い、安価なモールド剤３を流し込んで、乾燥後囲いを取り除くと、チップ型（表面実装型）ＬＥＤ１にモールド剤３を使用してＬＥＤの放熱をするＬＥＤランプになる。
また図２は  砲弾型ＬＥＤ４をプリント基板５に半田付けして、このプリント基板５の周囲に同一寸法の囲いを設け、その囲いの中へ絶縁性と熱伝導に優れた、放熱性の良い、粘性の低い、安価なモールド剤３を流し込んで、乾燥後囲いを取り除くと砲弾型ＬＥＤ４にモールド剤３を使用してＬＥＤの放熱をするＬＥＤランプである。
【実施例】
【０００７】  この実施例によれば、アルミ基台２又はプリント基板５と絶縁性と熱伝導に優れた、放熱性の良い、粘性の低い、安価なモールド剤３が密着しておりＬＥＤの発散する熱量がモールド剤３に熱伝道して放熱する。このモールド剤３の体積が大きくなると放熱面積も大きくなり放熱効果が上がる。
【産業上の利用可能性】
【０００８】  地球温暖化が問題になっており、その原因のひとつであるＣＯ２を削減する事が重要視されている現況で  ＬＥＤランプの需要は今後益々増えていく。
しかし輝度半減期が４万時間〜５万時間と言われている白色ＬＥＤを使用したＬＥＤランプの放熱を完全にしないと  ＬＥＤから発散する熱で直ぐに輝度劣化を起こし、輝度半減期が４万時間〜５万時間を満足できなくなる。そこでこのモールド剤３を使用してＬＥＤの放熱を特徴とするＬＥＤランプを採用すれば放熱が完全になされて輝度劣化を防げる。
【図面の簡単な説明】
【０００９】
【図１】この発明の一実施形態を示すチップ型（表面実装型）ＬＥＤ１をアルミ基台２に装着して、モールド剤３を使用してＬＥＤの放熱をするＬＥＤランプである。
【図２】この発明の一実施形態を示すチップ型（表面実装型）ＬＥＤ１をアルミ基台２に装着して、モールド剤３を使用して且つアルミのヒートシンク６を密着させてＬＥＤの放熱をするＬＥＤランプである。
【図３】この発明の一実施形態を示す砲弾型ＬＥＤ４をプリント基板５に半田付けしてモールド剤３を密着させ、そのモールド剤３部分にアルミ板やヒートシンク６を密着させて、ＬＥＤの放熱を促進するＬＥＤランプである。
【図４】従来技術を示すチップ型（表面実装型）ＬＥＤ１をアルミ基台２に取付け、そのアルミ基台２にアルミの削り出し又は押し出し成型したアルミヒートシンク６を接着した側面図である。
【図５】従来技術を示す砲弾型ＬＥＤ４をプリント基板５に半田付けし、そのプリント基板５にアルミヒートシンク６を密着させた側面図である。
【符号の説明】
【００１０】１  チップ型（表面実装型）ＬＥＤ
２  アルミ基台
３  モールド剤
４  砲弾型ＬＥＤ
５  プリント基板
６  アルミヒートシンク
【手続補正３】
【補正対象書類名】図面
【補正対象項目名】全図
【補正方法】変更
【補正の内容】
【図１】
0003152103.tif 000009
【図２】
0003152103.tif 000010
【図３】
0003152103.tif 000011
【図４】
0003152103.tif 000012
【図５】
0003152103.tif 000013
【手続補正書】
【提出日】平成20年12月8日(2008.12.8)
【手続補正１】
【補正対象書類名】実用新案登録請求の範囲
【補正対象項目名】全文
【補正方法】変更
【補正の内容】
【実用新案登録請求の範囲】
【請求項１】
図１のＬＥＤランプのケース内部には、チップ型ＬＥＤ２をＬＥＤ取付板３に取付け、そのＬＥＤ取付板３に密着したアルミ押し出し成型で形成したアルミ放熱材４があり、そのアルミ放熱材４はアルミ押し出し成型で形成したＤＩＮレール対応アルミケース５に密着している。このＤＩＮレール対応アルミケース５をＤＩＮレール６に直接パチンと押し付け装着できるようにするために、ＤＩＮレール対応アルミケース５の長手方向の両端に固着部品７をネジ止めする。この固着部品７がＤＩＮレール６の幅方向に咬み込んで連結できる。
こうしてＬＥＤランプの発する熱量がＬＥＤ取付板３、アルミ放熱材４、ＤＩＮレール６、制御盤等に順に熱伝導して放熱される。
このようにＬＥＤランプをＤＩＮレール６に直接パチンと嵌め込んで装着することが出来る形状を特徴とするＬＥＤランプである。
【請求項２】
図５のＤＩＮレール６に対応するＤＩＮレール対応樹脂製ケース８の内部には、チップ型ＬＥＤ２をＬＥＤ取付板３に取付け、そのＬＥＤ取付板３をアルミの放熱ブロック９に密着させる。そのアルミの放熱ブロック９に放熱シート１０を接着して、その放熱シート１０がＤＩＮレール６に密着するような放熱シート１０の厚さにする。このＤＩＮレール対応樹脂ケース８をＤＩＮレール６に直接パチンと押し付け装着できるようにするために、ＤＩＮレール対応樹脂ケース８の長手方向の両端に固着部品７をネジ止めする。この固着部品７がＤＩＮレール６の幅方向に咬み込んで連結できる。
こうしてＬＥＤランプの発する熱量がＬＥＤ取付板３、アルミ放熱ブロック９、放熱シート１０、ＤＩＮレール６、制御盤等に順に熱伝導して放熱される。
このようにＬＥＤランプをＤＩＮレール６に直接パチンと嵌め込んで装着することが出来る形状を特徴とするＬＥＤランプである。
【手続補正２】
【補正対象書類名】明細書
【補正対象項目名】全文
【補正方法】変更
【補正の内容】
【考案の詳細な説明】
【技術分野】
【０００１】  この発明はＬＥＤランプをＤＩＮレール６に直接パチンと嵌め込んで取付が出来るＬＥＤランプの形状に関する。
【背景技術】
【０００２】  従来のＬＥＤランプはＡＣ１００Ｖの白熱球との互換性を優先しているため、口金１１がＥ２６と言われるＡＣ１００Ｖソケット用のものであった。このＬＥＤランプを制御盤等に取り付けようとすると、先ず制御盤等にＡＣ１００Ｖ用のソケットをネジ止めして  そのＡＣ１００ＶソケットにＬＥＤランプをねじ込む必要があった。
【考案の開示】
【考案が解決しようとする課題】
【０００３】  しかしながら、制御盤等に取り付けてあるＤＩＮレール６を利用して、そのＤＩＮレール６にＬＥＤランプをパチンと嵌め込むだけで  簡単にＬＥＤランプを制御盤等へ取り付けが出来ることを課題とする。
【課題を解決するための手段】
【０００４】  以上の課題を解決するために、第一考案は、図１でＤＩＮレール６にＬＥＤランプを直接パチンと嵌め込んで取り付けが出来るようなＬＥＤランプケースとするために、ＬＥＤランプのケース内部にはチップ型ＬＥＤ２をＬＥＤ取付板３に取付け、そのＬＥＤ取付板３に密着したアルミ押し出し成型で形成したアルミ放熱材４があり、そのアルミ放熱材４はアルミ押し出し成型で形成したＤＩＮレール対応アルミケース５に密着している。このＤＩＮレール対応アルミケース５をＤＩＮレール６に直接パチンと押し付け装着できるようにするために、ＤＩＮレール対応アルミケース５の長手方向の両端に固着部品７をネジ止めする。この固着部品７がＤＩＮレール６の幅方向に咬み込んで連結できる。
こうしてＬＥＤランプから発する熱がＬＥＤ取付板３、ＬＥＤ放熱板４、ＤＩＮレール対応アルミケース５、ＤＩＮレール６、制御盤等に順に熱伝導して放熱される。
また、第二考案は、図５でＤＩＮレール６にＬＥＤランプを直接パチンと嵌め込んで取り付けが出来るようなＬＥＤランプケースとするために、ＤＩＮレール６に対応するＤＩＮレール対応樹脂製ケース８の内部には、チップ型ＬＥＤ２をＬＥＤ取付板３に取付け、そのＬＥＤ取付板３はアルミ放熱ブロック９に密着している。そのアルミ放熱ブロック９に放熱シート１０を接着して、その放熱シート１０がＤＩＮレール６に密着するような放熱シート１０の厚さにする。このＤＩＮレール対応樹脂製ケース８をＤＩＮレール６に直接パチンと押し付け装着できるようにするために、ＤＩＮレール対応樹脂製ケース８の長手方向の両端に固着部品７をネジ止めする。この固着部品７がＤＩＮレールの幅方向に咬み込んで連結できる。
こうしてＬＥＤランプの発する熱量がＬＥＤ取付板３、アルミ放熱ブロック９、放熱シート１０、ＤＩＮレール６、制御盤等に順に熱伝導して放熱される。
【考案の効果】
【０００５】  制御盤等に従来のＬＥＤランプをとりつけようとすると、従来のＬＥＤランプはＡＣ１００Ｖの白熱球との互換性を優先していた為、口金１１がＥ２６と言われるＡＣ１００Ｖソケット用のものであり、先ず制御盤等にこのＡＣ１００Ｖ用のソケットをネジ止めして  そのＡＣ１００ＶソケットにＬＥＤランプをねじ込む必要があった。
第一考案または第二考案によれば、制御盤等にＬＥＤランプを取付ける際に、制御盤等についているＤＩＮレール６を利用して、ＬＥＤランプをＤＩＮレール６に直接パチンと嵌め込むだけで簡単に取り付け出来る。
【考案を実施するための最良の形態】
【０００６】  この考案の一実施形態を  図１に示す。
チップ型（表面実装型）ＬＥＤ２はＬＥＤランプ取付板３に取付けられており、そのＬＥＤ取付板３はアルミ放熱材４に密着されている。アルミ放熱材４はＤＩＮレール対応アルミケース５に密着するように固定されている。
【実施例】
【０００７】  制御盤等についているＤＩＮレール６を利用して、ＤＩＮレール６にＬＥＤランプを直接パチンと嵌め込むだけで制御盤等にＬＥＤランプを簡単に取り付け出来る。
【産業上の利用可能性】
【０００８】  地球温暖化が問題になっており、その原因のひとつであるＣＯ２を削減する事が重要視されている現況で  ＬＥＤランプの需要は今後益々増えていく。
しかし輝度半減期が４万時間〜５万時間と言われている白色ＬＥＤを使用したＬＥＤランプの放熱を完全にしないと  ＬＥＤから発散する熱で直ぐに輝度劣化を起こす。そこでこのＤＩＮレールに直接取り付けることが出来る形状を特徴とするＬＥＤランプを採用すれば放熱が完全になされて輝度劣化を防げる。
【図面の簡単な説明】
【０００９】
【図１】この発明の一実施形態を示すＤＩＮレール対応アルミケースを使用したＬＥＤランプの側面断面図である。
【図２】ＤＩＮレールの上面図および側面図である。
【図３】この発明の一実施形態を示すＬＥＤランプの上面図および側面図である。
【図４】ＬＥＤランプをＤＩＮレールに連結させる固着部品の側面図である。
【図５】この発明の他の実施形態を示すＤＩＮレール対応樹脂製ケースを使用したＬＥＤランプの側面断面図である。
【図６】従来技術を示すチップ型ＬＥＤランプの側面図および上面図である。
【図７】従来技術を示す砲弾型ＬＥＤランプの側面図である。
【符号の説明】
【００１０】  １  半透明塩ビカバー
２  チップ型（表面実装型）ＬＥＤ
３  ＬＥＤ取付板
４  アルミ放熱板
５  ＤＩＮレール対応アルミケース
６    ＤＩＮレール
７  ＬＥＤランプをＤＩＮレールに連結させる固着部品
８  ＤＩＮレール対応樹脂製ケース
９  アルミ放熱ブロック
１０  放熱シート
１１  口金Ｅ２６
１２  砲弾型ＬＥＤ
【手続補正３】
【補正対象書類名】図面
【補正対象項目名】全図
【補正方法】変更
【補正の内容】
【図１】
0003152103.tif 000014
【図２】
0003152103.tif 000015
【図３】
0003152103.tif 000016
【図４】
0003152103.tif 000017
【図５】
0003152103.tif 000018
【図６】
0003152103.tif 000019
【図７】
0003152103.tif 000020
【手続補正書】
【提出日】平成21年2月13日(2009.2.13)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤランプの発する熱量を制御盤を放熱板として利用して放熱させるために、ＬＥＤ取付板、アルミ放熱材、ＤＩＮレール、制御盤の順に熱伝導して放熱させる。このＬＥＤランプケースの構造として、ＬＥＤランプのケース内部において、チップ型（表面実装型）ＬＥＤがＬＥＤ取付板に半田付されており、そのＬＥＤ取付板はアルミ押し出し成型で形成したアルミ放熱材にネジ止め密着されている。そのアルミ放熱材がアルミ押し出し成型で形成したＤＩＮレール対応アルミケースに密着するようＤＩＮレール対応アルミケースの内側にはスライド用レール部が設けられている。そのレール部へアルミ放熱材をスライドして取り付ける。このＤＩＮレール対応アルミケースをＤＩＮレールに直接パチンと押し付け装着できるようにするために、ＤＩＮレール対応アルミケースの長手方向の両端にはＤＩＮレール装着用固着部品がネジ止めされている。この固着部品がＤＩＮレールの幅方向に咬み込んでＤＩＮレール対応アルミケースとＤＩＮレールが連結される形状を特徴とするＬＥＤランプである。
【請求項２】
また別の構造でＬＥＤランプの発する熱量を制御盤を放熱板として利用して放熱させるため、ＬＥＤ取付板、アルミ放熱ブロック、放熱シート、ＤＩＮレール、制御盤の順に熱伝導して放熱させる。このＬＥＤランプケースの構造として、ＤＩＮレールに対応するＤＩＮレール対応樹脂製ケースの内部において、チップ型（表面実装型）ＬＥＤがＬＥＤ取付板に半田付けされており、そのＬＥＤ取付板はアルミの放熱ブロックにネジ止め密着されている。そのアルミの放熱ブロックに放熱シートを接着する、そのとき放熱シートがＤＩＮレールに密着するような放熱シートの厚さにする。このように構成されたＤＩＮレール対応樹脂ケースをＤＩＮレールに直接パチンと押し付け装着できるようにするために、ＤＩＮレール対応樹脂ケースの長手方向の両端にはＤＩＮレール装着用固着部品がネジ止めされている。この固着部品がＤＩＮレールの幅方向に咬み込んでＤＩＮレール対応樹脂ケースとＤＩＮレールが連結される形状を特徴とするＬＥＤランプである。
【手続補正書】
【提出日】平成21年4月13日(2009.4.13)
【手続補正１】
【補正対象書類名】実用新案登録請求の範囲
【補正対象項目名】全文
【補正方法】変更
【補正の内容】
【実用新案登録請求の範囲】
【請求項１】
金属製筐体内を照らすＬＥＤランプに関するものでチップ型ＬＥＤをＬＥＤ取付板に半田付けしＬＥＤ取付板をアルミ押出成形で形成されたアルミ製放熱板にネジ止め密着させそのアルミ製放熱板がＤＩＮレール対応アルミケースに密着するよう内側両側面に設けたスライド溝２本のかん合により密着させＤＩＮレール対応アルミケース長手方向両側面に設けた固着部品でＤＩＮレールに固着させＤＩＮレールを金属製筐体に装着することによりＬＥＤの発する熱をＤＩＮレール経由にて金属製筐体に伝導させて放熱する構造を特徴とするＤＩＮレール直接取付型ＬＥＤランプ。
【請求項２】
また別の構造でチップ型ＬＥＤをＬＥＤ取付板に半田付けしＬＥＤ取付板をアルミ製放熱ブロックにネジ止め密着させそのアルミ製放熱ブロックをＤＩＮレール対応合成樹脂製ケース内側両側面に設けたスライド溝２本に嵌め込み固定しアルミ製放熱ブロック底部に放熱シートを接着し放熱シートがＤＩＮレール対応合成樹脂製ケース底面の開口部から突出してＤＩＮレールに平面に密着するようにしＤＩＮレール対応合成樹脂ケース長手方向両側面に設けた固着部品でＤＩＮレールに固着しＤＩＮレールを金属製筐体に装着することによりＬＥＤの発する熱をＤＩＮレール経由にて金属製筐体に伝導させて放熱する構造を特徴とするＤＩＮレール直接取付型ＬＥＤランプ。